(57)【要約】      （修正有）【課題】摩耗した刃部のみの交換が容易に出来、刃部は、取り付け方向を変えて繰り返し使用出来、寿命が結果的に長く、刃が障害物と干渉しても、跳ね返りが無く安全性が高い刈払機の回転刃を提供する。【解決手段】二枚の円盤状の板２ａ，２ｂよりなる刃物ホルダーの間に、複数の短冊状の交換刃１を挿入し、交換刃の中央部をピン３で回転自在に取り付け、交換刃が切断時の抵抗で傾いても、設定角度以上は傾かないようにストッパー４を設ける。【選択図】図１
0003189553.tif 000002
【実用新案登録請求の範囲】
【請求項１】
短冊状で長辺方向に刃を付け、中央に取り付け用の穴が開いた複数の交換刃を、二枚の円板状の板よりなる刃物ホルダーの間に挿入し、取り付け用ピン等で前記刃物ホルダーに対して回転自在に取り付け、しかも前記交換刃が切断時の抵抗等で傾いても、設定角度以上は傾かないようにストッパーを設けた構造よりなる刈払機の回転刃。
【考案の詳細な説明】
【考案の詳細な説明】
【技術分野】
【０００１】  本考案は刈払機の回転刃に関し、より詳細には刈払機に取り付ける円板状の板の外周に短冊状の刃を複数取り付け、刃が摩耗して交換を要するとき、短冊状の交換刃のみの交換が出来る刈払機の回転刃に関する。
【背景技術】
【０００２】  従来より、刈払機の回転刃は丸鋸状の形状で、刈払機に直接取り付くホルダー部と鋸刃とが一体構造となっているものが一般的である。【０００３】  従って作業中、草に隠れた石や杭などの障害物と、刈払機の回転刃が干渉して刃先が欠けたり、又、小石などが多い場所では刃が摩耗して切れ味が急速に落ちるなどして、回転刃の交換を要する場合、回転刃をホルダーごと交換することになり、非常に不経済である。【０００４】  従って、そのような問題に対処するために、多くの考案がなされている。（特願２００８−２２８３０８、特願２００８−３１７６８６等）【０００５】  特願２００８−２２８３０８については刈払機の刃ではないため、刃の形状は全く異なるがコスト削減の考えは本考案と似ており、特願２００８−３１７６８６については、刃の部分が細い丸棒で、しかも根元がばねでたわむ構造となっているため、硬い茎の草の場合は良い切れ味は期待出来ず、複数の切断刃の交換もあまり安価に出来るとは思えない。
【考案が解決しようとする課題】
【０００６】  本考案は、以上のような課題に対処して創作したものであって、その目的とするところは、
▲１▼  丸鋸状の刃のように、全体を交換するのでは無く、摩耗した刃部のみの交換が容易に出来、しかも交換する刃が安価であること。
▲２▼  刃部は、取り付け方向を変えたりして繰り返し使用出来、交換する刃の寿命が結果的に長いこと。
▲３▼  刃が障害物と干渉しても、あまり跳ね返りが無いなど、安全性が高いこと。
以上のような課題を解決した、刈払機の回転刃を提供することにある。
【課題を解決するための手段】
【０００７】  そして、上記課題を解決する手段として、短冊状で長辺方向に刃を付け、中央に取り付け用の穴が開いた複数の交換刃を、二枚の円板状の板よりなる刃物ホルダーの間に挿入し、取り外しが容易な取り付け用ピン等で前記刃物ホルダーに対して回転自在に取り付け、しかも前記交換刃が切断時の抵抗等で傾いても、設定角度以上は傾かないようにストッパーを設けた構造よりなる刈払機の回転刃である。
【考案の効果】
【０００８】  以上の説明から明らかなように、本考案の刈払機の回転刃の前記交換刃は前記取り付け用ピンで前記刃物ホルダーに取り付けてあるので、この交換刃が摩耗して切れなくなると、前記刃物ホルダーから外してこれを付け替えて使用することが出来る、或いは前記交換刃はさわらず、刈払機からホルダーごと１式を外して、これを裏表付け替えて使用することも出来る。
【０００９】  又、本考案の刈払機回転刃の前記交換刃は、その形状が簡単なため、鋼材店等で前記交換刃の寸法に合った帯鋼の棒を購入して自作することも可能である。
【００１０】  又、縁石等の際に生えている草を刈る場合、従来の鋸刃状の刃は縁石と接触して刃の先端が急激に摩耗し、縁石にも深い傷がつき、刃の跳ね返りも大きいことから細心の注意を払っての作業が避けられなかったが、本考案の刈払機の回転刃は、前記交換刃が障害物と接触した場合、前記取り付け用ピンを中心にある程度傾くことが出来るため、衝撃が一部吸収されて縁石もあまり傷つけなくて済み、跳ね返りも小さく、より安全に作業出来る。
【００１１】  又、本考案の刈払機の回転刃は、刈る草に応じて前記交換刃の厚みをある程度変えることが出来、例えば茎の柔らかい草等の場合、厚みが０，５ミリ位の帯鋼を前記交換刃に使用すれば、刃を加工せず使用することも出来る。
【考案の実施例】
【００１２】  以下、図面を参照しながら、本考案を具体化した実施例について説明する。ここに図１〜図７は本考案の実施例を示し、図１は本考案の刈払機回転刃一式を上から見た正面図、図２は交換刃が傾いてストッパーに接触している状態の図、図３は図１の断面Ａ−Ａ、図４は図１の断面Ｂ−Ｂ，図５は図１の断面Ｃ−Ｃ、図６は図１の断面Ｄ−Ｄの各詳細図、図７は本考案の刈払機の回転刃一式を刈払機に取り付けた図である。
【００１３】  本実施例の刈払機の回転刃は、図１〜図７に示すように、概略すると、▲１▼交換刃ホルダーＡを構成する上円板状の板２ａと下円板状の板２ｂの間に、短冊状で長手方向に刃の付いた交換刃１を挿入し、交換刃取り付けピン３を、交換刃１が交換刃ホルダーＡに対して回転自在となるように挿入し、交換刃１の両側にはストッパー４が設けてある。
【００１４】  そして、より具体的には、図２は交換刃１が傾いてストッパー４と接触している図、図３は交換刃１が交換刃ホルダーＡに取り付けられている詳細図で、交換刃取り付けピン３は軸用止め輪３ａで止められてをり、図４はスットパー４の詳細図で、ストッパー４は交換刃ホルダーＡの上円板状の板２ａと下円板状の板２ｂに溶接付けされており、図５は交換刃ホルダーＡの中央部の詳細断面図で、上円板状の板２ａの中央部には刈払機Ｃの出力軸に取り付けるための穴５が開けられており、下円板状の板２ｂとスペースリング２ｃによりスポット溶接で接合されており、図１と図２のスペースリング２ｃ上の黒点はスポット溶接痕である。
【００１５】  そして図７は、本考案の刈払機回転刃Ｂを刈払機Ｃに取り付けた図で、刈払機Ｃは二点鎖線で示し、刈払機回転刃Ｂは断面で示す。
【図面の簡単な説明】
【００１６】
【図１】本考案の刈払機回転刃１式を刈払機取りから見た正面図である。
【図２】交換刃が傾いてストッパーに接触している状態の図。
【図３】図１の断面Ａ−Ａである。
【図４】図１の断面Ｂ−Ｂである。
【図５】図１の断面Ｃ−Ｃである。
【図６】図１の断面Ｄ−Ｄである。
【図７】刈払機回転刃を刈払機に取り付けた図である。
【符号の説明】
【００１７】１・・・交換刃
２ａ・・上円板状の板
２ｂ・・下円板状の板
２ｃ・・スペースリング
３・・・交換刃取り付けピン
３ａ・・軸用止め輪
４・・・ストッパー
５・・・刈払機回転刃取り付け穴
Ａ・・・交換刃ホルダー
Ｂ・・・刈払機回転刃
Ｃ・・・刈払機
【図１】
0003189553.tif 000003
【図２】
0003189553.tif 000004
【図３】
0003189553.tif 000005
【図４】
0003189553.tif 000006
【図５】
0003189553.tif 000007
【図６】
0003189553.tif 000008
【図７】
0003189553.tif 000009